(57)【要約】【課題】毛髪の傷みを抑制しつつ、所望の髪型の形成がより容易となるヘアーアイロンを提供する。【解決手段】ヘアーアイロンは、先端側が開閉可能となるように基端側において取り付けられた一対のアームと、その先端部において互いに対向する位置にそれぞれ組み付けられた２つのプレート３０，４０とを有している。これら２つのプレート３０，４０のうち、第１のプレート３０は、ヘアーアイロンの長手方向に垂直な横方向において、他方の第２のプレート４０に対向する施術面３１がなだらかな凹形状に形成されており、第２のプレート４０は、横方向において、第１のプレート３０に対向する施術面４１の包絡形状がなだらかな凸形状となるように形成されるとともに、当該施術面４１に第２のプレート４０の長手方向の両端に亘る溝４８，４９が形成されている。【選択図】図２
2018192072.tif 000002
【特許請求の範囲】
【請求項１】
ヘアーアイロンであって、
先端側が開閉可能となるように基端側において取り付けられた一対のアームと、
前記一対のアームの先端部において、前記一対のアームの互いに対向する位置にそれぞれ組み付けられた第１と第２のプレートと、
を備え、
前記第１のプレートは、前記ヘアーアイロンの長手方向に垂直な横方向において、前記第２のプレートに対向する施術面がなだらかな凹形状に形成されており、
前記第２のプレートは、前記横方向において、前記第１のプレートに対向する施術面の包絡形状がなだらかな凸形状となるように形成されるとともに、当該施術面に前記第２のプレートの前記長手方向の両端に亘る溝が形成されていることを特徴とするヘアーアイロン。
【請求項２】
前記一対のアームは、前記先端側を閉じた状態において、前記先端部がほぼ円柱状となるように形成されていることを特徴とする請求項１に記載のヘアーアイロン。
【請求項３】
請求項１、または請求項２に記載のヘアーアイロンであって、さらに、
前記第１のプレートを加熱するための第１のヒーターと、
前記第２のプレートを加熱するための第２のヒーターと、
前記第１と第２のヒーターの温度を制御する制御部とを備え、
前記制御部は、加熱初期の暖機期間において、第１の昇温速度で前記第１と第２のヒーターの温度を上昇させ、前記暖機期間の経過後の急速昇温期間において、前記第１の昇温速度よりも速い第２の昇温速度で前記第１と第２のヒーターの温度を上昇させることを特徴とするヘアーアイロン。
【請求項４】
前記第１の昇温速度は、２℃／秒以下であり、
前記第２の昇温速度は、１５℃／秒〜２０℃／秒であることを特徴とする請求項３に記載のヘアーアイロン。
【請求項５】
前記制御部は、長さが３秒間の前記暖機期間において、前記第１と第２のヒーターを４℃〜６℃昇温させることを特徴とする請求項３、または請求項４に記載のヘアーアイロン。
【発明の詳細な説明】
【技術分野】
【０００１】
本発明は、髪型を形成するためのヘアーアイロンに関し、特に、加熱された一対のプレートに毛髪を挟み込んで髪型を形成するヘアーアイロンに関する。
【背景技術】
【０００２】
毛髪をストレートに延ばし、あるいは、毛髪にカールをかける等、髪型を形成する機材として、ヘアーアイロンが理容店や美容院等の業務用品や家庭用市販品として提供されている。このようなヘアーアイロンとして、一対のアームの先端に、毛髪を挟持するためのプレートを設け、ヒーターにより当該プレートを加熱するように構成されたヘアーアイロンが従来から提供されている（特許文献１参照）。
【先行技術文献】
【特許文献】
【０００３】
【特許文献１】特開２０１７−０００６６６号公報
【発明の概要】
【発明が解決しようとする課題】
【０００４】
しかしながら、特許文献１に記載されているヘアーアイロンでは、平板状のプレートを採用しているため、毛髪をストレートに延ばすことは容易であるが、毛髪にカールやウェーブをかけることは、必ずしも容易ではない。また、毛髪がプレートに挟持された状態で加熱されるため、毛髪の水分量が多い場合には、水蒸気爆発が発生し、毛髪を傷める虞がある。
【０００５】
本発明の目的は、このような従来のヘアーアイロンの問題点を解消し、毛髪の傷みを抑制しつつ、所望の髪型の形成がより容易となるヘアーアイロンを提供することにある。
【課題を解決するための手段】
【０００６】
本発明の内、請求項１に記載の発明は、ヘアーアイロンであって、先端側が開閉可能となるように基端側において取り付けられた一対のアームと、前記一対のアームの先端部において、前記一対のアームの互いに対向する位置にそれぞれ組み付けられた第１と第２のプレートと、を備え、前記第１のプレートが、前記ヘアーアイロンの長手方向に垂直な横方向において、前記第２のプレートに対向する施術面がなだらかな凹形状に形成されており、前記第２のプレートが、前記横方向において、前記第１のプレートに対向する施術面の包絡形状がなだらかな凸形状となるように形成されるとともに、当該施術面に前記第２のプレートの前記長手方向の両端に亘る溝が形成されていることを特徴とするものである。
【０００７】
請求項２に記載の発明は、請求項１に記載のヘアーアイロンにおいて、前記一対のアームが、前記先端側を閉じた状態において、前記先端部がほぼ円柱状となるように形成されていることを特徴とするものである。
【０００８】
請求項３に記載の発明は、請求項１または２に記載のヘアーアイロンであって、さらに、前記第１のプレートを加熱するための第１のヒーターと、前記第２のプレートを加熱するための第２のヒーターと、前記第１と第２のヒーターの温度を制御する制御部とを備え、前記制御部が、加熱初期の暖機期間において、第１の昇温速度で前記第１と第２のヒーターの温度を上昇させ、前記暖機期間の経過後の急速昇温期間において、前記第１の昇温速度よりも速い第２の昇温速度で前記第１と第２のヒーターの温度を上昇させることを特徴とするものである。
【０００９】
請求項４に記載の発明は、請求項３に記載のヘアーアイロンにおいて、前記第１の昇温速度が、２℃／秒以下であり、前記第２の昇温速度が、１５℃／秒〜２０℃／秒であることを特徴とするものである。
【００１０】
請求項５に記載の発明は、請求項３または４に記載のヘアーアイロンにおいて、前記制御部が、長さが３秒間の前記暖機期間において、前記第１と第２のヒーターを４℃〜６℃昇温させることを特徴とするものである。
【発明の効果】
【００１１】
請求項１に係るヘアーアイロンによれば、毛髪を挟み込む２つのプレートの一方は、ヘアーアイロンの長手方向に垂直な横方向において施術面が凹形状に形成され、他方は、横方向において施術面の包絡形状が凸形状となるように形成されている。そのため、プレートに挟まれた毛髪は、凸形状のプレート側に曲げられるので、毛髪に良好なカール等をかけることがより容易となる。また、２つのプレートの施術面は、いずれもなだらかに形成されているので、毛髪をストレートに延ばすことも十分に可能である。さらに、施術面の包絡形状が凸形状となるように形成されたプレートには、施術面に、プレートの長手方向の両端に亘る溝が形成されている。そのため、２つのプレートで毛髪を挟んだ状態においても、長手方向の両端に開口した空隙が形成される。そして、この空隙を介して、毛髪から発生した水蒸気が外部に放出されることで水蒸気爆発が抑制されるので、毛髪の水分量が多い場合であっても、毛髪が傷むことが抑制される。
【００１２】
請求項２に係るヘアーアイロンによれば、一対のアームを、先端側を閉じた状態において、先端部がほぼ円柱状となるように形成している。そのため、毛髪を２つのプレートに挟み込んだ状態で、アームの先端部に毛髪を巻き付けることにより、毛髪にカール等をかけることがより容易となる。
【００１３】
請求項３に係るヘアーアイロンによれば、プレートを加熱するためのヒーターの温度を、加熱初期の暖機期間においては、遅い昇温速度で上昇させ、暖機期間の経過後の急速昇温期間においては、速い昇温速度で上昇させる。このように、暖機期間を設けることにより、プレート内部の温度分布が急激に変化することが抑制されるので、急速昇温期間における昇温速度を速くしても、プレートの損傷が抑制される。また、暖機期間を設けることでプレートの損傷が抑制されるので、急速昇温期間の昇温速度をより速くすることが可能となり、施術が可能となるまでの時間をより短くすることができる。
【００１４】
請求項４に係るヘアーアイロンによれば、プレートの損傷をより確実に抑制するとともに、施術が可能となるまでの時間を十分に短縮することができる。
【００１５】
請求項５に係るヘアーアイロンによれば、さらに確実にプレートの損傷を抑制することができる。
【図面の簡単な説明】
【００１６】
【図１】ヘアーアイロンの概略構成を示す斜視図。
【図２】上側プレートと下側プレートとの形状を示す断面図。
【図３】ヘアーアイロンの使用態様を示す説明図。
【図４】ヘアーアイロン１の温度制御機能に関する構成を示すブロック図。
【図５】昇温条件の一例を示すグラフ。
【発明を実施するための形態】
【００１７】
以下、本発明に係るヘアーアイロンの実施形態について図面に基づき詳細に説明する。
【００１８】
＜ヘアーアイロンの構成＞
図１は、本発明の一実施形態としてのヘアーアイロン１の概略構成を示す斜視図である。ヘアーアイロン１は、上側アーム１０と、下側アーム２０と、電源スイッチ２と、ヒンジ３と、電源コード４とを備えている。なお、通常、ヘアーアイロンには、髪型の形成等の施術を行う温度（施術温度）を設定するためのスイッチ、ヘアーアイロンの状態を表示するための表示ランプ、スチーム等を発生する機器やその操作スイッチ等が設けられているが、これらは本発明との関連性が低いので、その図示および説明を省略する。
【００１９】
上側アーム１０は、耐熱性が高く熱伝導性が低い樹脂で形成されたハウジング１１と、熱伝導性が高いセラミックで形成されたプレート（図示しない）とを有している。下側アーム２０は、上側アーム１０と同様に、樹脂で形成されたハウジング２１と、セラミックで形成されたプレート４０とを有している。なお、ハウジング１１，２１は、アーム１０，２０の主体をなすものであるため、以下では、必要のない限り、ハウジング１１，２１とアーム１０，２０を区別しない。
【００２０】
図１に示すように、上側アーム１０のプレート（上側プレート）と、下側アーム２０のプレート（下側プレート）４０とは、互いに対向するように、上側アーム１０および下側アーム２０のそれぞれの先端部に組み付けられている。電源スイッチ２は、長手方向の中央付近において、下側アーム２０の側面に配置されている。ここで、長手方向とは、アーム１０，２０の先端側を閉じた状態におけるヘアーアイロン１の長手方向をいい、以下でも同様に表記する。電源スイッチ２は、モーメンタリ型のスライドスイッチであり、スライド操作により閉状態となり、自動的に開状態に復帰する。電源コード４は、下側アーム２０の基端に取り付けられている。
【００２１】
上側アーム１０は、基端側に配置されたヒンジ３により下側アーム２０に取り付けられている。これにより、上側アーム１０と下側アーム２０とは、先端側において開閉可能となっている。また、上側アーム１０と下側アーム２０とは、先端側を閉じた状態で上側アーム１０と下側アーム２０とが全体としてほぼ円柱状となるように、外方側が凸曲面形状に形成されている。
【００２２】
このように、上側アーム１０と下側アーム２０とを先端側において開閉可能とすることで、先端部に設けられた上側プレートと下側プレート４０とにより、施術対象の毛髪を挟み込むことが可能となっている。すなわち、上側プレートおよび下側プレート４０の互いに対向する面は、施術対象の毛髪を挟み込むように構成されている。そのため、本明細書および本発明においては、これらの面を、施術面とも呼ぶ。また、詳細については後述するが、本実施形態のヘアーアイロン１においては、下側プレート４０の施術面は、概ね凸形状に形成されている。この下側プレート４０の凸形状に対応して、上側プレートの施術面は、凹形状に形成されている。
【００２３】
上側プレートおよび下側プレート４０の施術面には、必要に応じてコーティングが施される。施術面は、上側プレートおよび下側プレート４０を構成するセラミックが露出している状態としても良く、また、施術面に、プラチナ（Ｐｔ）やチタン（Ｔｉ）等の金属、酸化物や窒化物等のセラミック、ポリテトラフルオロエチレン（ＰＴＦＥ）等の耐熱性の樹脂等からなる単層あるいは複層の膜を形成することも可能である。
【００２４】
＜プレートの形状＞
図２は、上側プレート３０と、下側プレート４０との形状を示す断面図である。図２（ａ）は、長手方向に垂直な面における上側プレート３０の断面を示している。また、図２（ｂ）は、長手方向に垂直な面における下側プレート４０の断面を示している。上側プレート３０および下側プレート４０は、それぞれ、図２（ａ）および図２（ｂ）に示す断面形状を長手方向に押し出した形状となっている。そして、上側プレート３０および下側プレート４０の長手方向の端部は、毛髪の引っ掛かりを抑制するため、丸みが付けられる。
【００２５】
図２（ａ）に示すように、上側プレート３０の施術面３１は、長手方向に垂直な方向（横方向）において、なだらかな凹形状となっている。ここで、「なだらかな凹形状」とは、凹形状であって、曲率半径が凹形状部分の全体の長さ（全体長）に比べて十分に長く（例えば、全体長以上）、かつ、角を有しない形状をいう。すなわち、特定の形状について「なだらかな」とは、曲率半径が当該形状部分の全体長に比べて十分に長く、かつ、角を有しないことをいう。横方向の端部である周縁部３２には、毛髪の引っ掛かりを抑制するために丸みが付けられている。
【００２６】
上側プレート３０において、施術面３１の反対側には、単一の平坦面３３が形成されている。この平坦面３３には、施術面３１と反対方向に伸びる伸長部３５が設けられている。伸長部３５には、外方に突出したプレート組付爪３５ａと、内方に突出したヒーター取付爪３５ｂとが設けられている。
【００２７】
図２（ｂ）に示すように、下側プレート４０の施術面４１は、横方向において、全体としてなだらかな凸形状となっている。すなわち、施術面４１は、その包絡形状がなだらかな凸形状となっている。そして、横方向の端部である周縁部４２には、毛髪の引っ掛かりを抑制するために丸みが付けられている。また、このように周縁部４２に丸みを付けることにより、カール等をかけた髪型をより容易に形成することができる。
【００２８】
施術面４１には、横方向の中央および中央と端部との間に、溝４８，４９が形成されている。この溝４８，４９は、長手方向における下側プレート４０の両端に亘るように形成される。なお、図２（ｂ）の例では、施術面４１に３本の溝４８，４９を設けているが、溝の数は、適宜増減することができる。
【００２９】
下側プレート４０において、施術面４１の反対側には、横方向の中央部に位置する第１の平坦面４３と、横方向の端部に位置する第２の平坦面４４とが形成されている。第１の平坦面４３は、ヒーターから施術面４１への熱伝導を良好とするため、第２の平坦面４４よりも施術面４１に近い位置に形成される。第１の平坦面４３と、第２の平坦面４４との間には、施術面４１と反対方向に伸びる伸長部４５が設けられている。この伸長部４５には、上側プレート３０の伸長部３５と同様に、外方に突出したプレート組付爪４５ａと、内方に突出したヒーター取付爪４５ｂとが設けられている。
【００３０】
上側アーム１０（図１）は、ヒーター取付爪３５ｂを用いて上側プレート３０を加熱するためのヒーターを取り付けた後、プレート組付爪３５ａを用いて上側プレート３０をハウジング１１に組み付けることにより形成される。同様に、下側アーム２０は、ヒーター取付爪４５ｂを用いて下側プレート４０にヒーターを取り付けた後、プレート組付爪４５ａを用いて下側プレート４０をハウジング２１（図１）に組み付けることにより形成される。
【００３１】
なお、図２では、プレート３０，４０にヒーターを取り付け、ヒーターが取り付けられたプレート３０，４０をハウジング１１，２１に組み付けるための一態様を示しているが、プレートへのヒーターの取付、および、プレートのハウジングへの組付の態様は、種々変更することができる。
【００３２】
また、図２に示すように、本実施形態のヘアーアイロン１では、溝４８，４９を施術面４１が概ね凸形状となっている下側プレート４０にのみ設け、施術面３１が凹形状の上側プレート３０には溝を設けていない。このように、施術面が凹形状のプレートに溝を設けないようにすることにより、当該プレートの割れを抑制している。
【００３３】
＜ヘアーアイロンの使用態様＞
図３は、ヘアーアイロン１の使用態様を示す説明図である。図３（ａ）は、毛髪ＨＲをストレートに延ばす様子を示し、図３（ｂ）は、毛髪ＨＲにカールをかける様子を示している。なお、図３（ａ）および図３（ｂ）では、上側プレート３０および下側プレート４０により毛髪ＨＲを挟んだ状態において、ヘアーアイロン１の先端（図１）側から見た様子を示している。また、図３（ａ）および図３（ｂ）において、白抜きの矢印は、毛髪ＨＲを基準として、ヘアーアイロン１が移動する方向を示している。
【００３４】
図３（ａ）に示すように、毛髪ＨＲをストレートに延ばす場合、上側プレート３０と下側プレート４０との間に毛髪ＨＲを挟み、ヘアーアイロン１を毛髪ＨＲの根元から毛先に向かって移動させる。本実施形態のヘアーアイロン１では、上側プレート３０の施術面３１（図２（ａ））は凹形状に形成され、下側プレート４０の施術面４１（図２（ｂ））はその包絡形状が凸形状に形成されている。しかしながら、これらの凹形状および凸形状は、いずれも、曲率半径が十分に長いなだらかな形状となっているので、毛髪ＨＲをストレートに延ばすことが可能である。
【００３５】
一方、図３（ｂ）に示すように、毛髪ＨＲにカールをかける場合、ヘアーアイロン１に巻き付けるように上側アーム１０側から下側アーム２０側に毛髪ＨＲを回し、回した毛髪を上側プレート３０と下側プレート４０との間に挟み込む。そして、ヘアーアイロン１を毛髪ＨＲの根元から毛先に向かって移動させることにより、毛髪ＨＲにカールをかけることができる。
【００３６】
上述のように、上側プレート３０の施術面３１は、凹形状に形成され、下側プレート４０の施術面４１は、その包絡形状が凸形状となるように形成されている。そのため、上側プレート３０と下側プレート４０との間に挟み込まれた毛髪ＨＲは、下側プレート４０側に曲げられる。そして、毛髪ＨＲは、温度が十分に高い状態で、全体としてほぼ円柱状の上側アーム１０と下側アーム２０とに巻き付けられるため、毛髪ＨＲには、良好なカールがかけられる。
【００３７】
このように、本実施形態のヘアーアイロン１によれば、上側プレート３０の施術面３１をなだらかな凹形状に形成し、下側プレート４０の施術面４１をその包絡形状がなだらかな凸形状となるように形成するとともに、上側アーム１０と下側アーム２０とを全体としてほぼ円柱状とすることにより、毛髪ＨＲをストレートに延ばすことも、毛髪ＨＲに良好なカールをかけることも可能となる。
【００３８】
さらに、下側プレート４０の施術面４１には、下側プレート４０の長手方向の両端に亘るように溝４８，４９が形成されているため、図３（ａ）および図３（ｂ）に示すように、上側プレート３０と下側プレート４０とで毛髪ＨＲを挟んだ状態においても、下側プレート４０の長手方向の両端に開口した空隙が形成される。施術の際、この空隙を通して毛髪ＨＲから発生した水蒸気が外部に放出されるので、施術後の毛髪ＨＲ中に過剰な水分が残存することが抑制される。そのため、施術後において、残存する過剰な水分により毛髪ＨＲの温度が十分に下がらず、髪型が崩れることを抑制することができるので、ストレートから十分に丸まったカールまで、良好な髪型を形成することができる。また、過剰な水分の残存が抑制されることで、毛髪ＨＲの質感や、まとまりや、光沢を良好にすることもできる。
【００３９】
さらに、施術前の毛髪ＨＲの水分量が多い場合においても、溝４８，４９を介して水蒸気が外部に放出されることで水蒸気爆発の発生が抑制される。これにより、毛髪ＨＲの傷みを抑制しつつ、水分量が多い毛髪ＨＲに施術を行うことができる。そのため、本実施形態のヘアーアイロン１は、髪型を形成するヘアーアイロンとしての機能に加え、毛髪を乾燥させるドライヤーとして機能させることも可能である。但し、ヘアーアイロン１をドライヤーとして使用する場合、プレート３０，４０の温度は、ヘアーアイロンとして使用する場合よりも低い温度にするのが好ましい。
【００４０】
＜ヘアーアイロンの温度制御＞
本実施形態のヘアーアイロン１では、下側プレート４０（図２）の施術面４１に、溝４８，４９が設けられている。また、上側プレート３０についても、横方向の中央付近での厚みが薄くなっている。そのため、プレート３０，４０の温度を急激に上昇させると、プレート３０，４０に割れなどの損傷が発生する虞がある。そこで、本実施形態においては、プレート３０，４０を加熱するヒーターの温度制御を適宜行うことにより、プレート３０，４０の損傷を抑制している。
【００４１】
図４は、ヘアーアイロン１の温度制御機能に関する構成を示すブロック図である。ヘアーアイロン１は、上述した各部のほか、ヘアーアイロン１の動作を制御する制御部５０と、上側アーム１０（図１）のヒーター１２に取り付けられた温度センサー１３と、下側アーム２０（図１）のヒーター２２に取り付けられた温度センサー２３とを有している。なお、一般的に、温度センサー１３，２３は、それぞれ、ヒーター１２，２２とプレート３０，４０との間に配置される。
【００４２】
制御部５０は、温度調整部５１と、通電制御部５２とを有している。制御部５０は、電力制御等が可能なコンピューターとして構成されており、コンピューターが制御プログラムを実行することにより、温度調整部５１と通電制御部５２との機能が実現される。制御部５０は、通常、基端寄りの位置において、下側アーム２０のハウジング２１内部に組み込まれる。
【００４３】
電源コード４を商用電源に接続することにより、制御部５０に電力が供給される。制御部５０に電力が供給された状態で、使用者が電源スイッチ２を操作すると、電源スイッチ２が一時的に閉状態となる。制御部５０は、この電源スイッチ２の閉状態を検出すると、ヘアーアイロン１の状態を作動状態と非作動状態との間で切り替える。なお、電源コード４を商用電源に接続し、制御部５０への電力の供給が開始された時点では、ヘアーアイロン１は、ヒーター１２，２２への電力の供給が停止された非作動状態となっている。
【００４４】
ヘアーアイロン１が非作動状態から作動状態に切り替わると、通電制御部５２は、ヒーター１２，２２への電力の供給を開始する。温度調整部５１は、温度センサー１３，２３の出力信号からヒーター１２，２２の温度を評価し、評価結果に基づいてヒーター１２，２２に供給する電力値を決定する。そして、温度調整部５１により決定された電力値に基づいて、通電制御部５２がヒーター１２，２２に供給する電力を制御する。これにより、ヒーター１２，２２の温度は、予め設定された目標温度に調整される。なお、ヒーター１２，２２の温度の調整は、例えば、ＰＤ制御や、ＰＩＤ制御等の一般的な制御手法により行われる。
【００４５】
目標温度は、予め設定された昇温条件に基づいて、時間的に変化するように設定される。図５は、昇温条件の一例を示すグラフである。図５において、横軸は秒単位での経過時間を表し、縦軸は℃単位での目標温度を表している。経過時間の０秒の点は、昇温の開始時点、すなわち、ヘアーアイロン１が非作動状態から作動状態に切り替わった時点を表している。また、目標温度のＲＴは、室温（約２５℃）、すなわち、ヘアーアイロン１が作動状態に切り替わる以前におけるヒーターの温度を表している。
【００４６】
図５に示すように、本実施形態では、昇温を開始してから最初（加熱初期）の３秒間（暖機期間）において、室温から３０℃まで緩やかに目標温度を上昇させている。本実施形態では、この暖機期間における昇温速度を約１．７℃／秒としているが、昇温速度は、２℃／秒以下であればよい。また、本実施形態では、室温を約２５℃としているが、室温が２５℃よりも高い場合、暖機期間終了時点の目標温度は３０℃よりも高く設定される。この場合、暖機期間終了時点の目標温度は、室温よりも４℃〜６℃高く設定するのが好ましい。すなわち、好ましい形態として、暖機期間においては、ヒーター１２，２２は、４℃〜６℃の範囲で昇温される。
【００４７】
暖機期間の終了後、次の１０秒間（急速昇温期間）において、目標温度は、３０℃から２１０℃まで急速に上げられる。本実施形態では、この急速昇温期間における昇温速度を１８℃／秒としているが、昇温速度は、１５℃／秒〜２０℃／秒の範囲で適宜設定することも可能である。また、本実施形態では、急速昇温期間の終了時点の目標温度（すなわち、施術温度）を２１０℃としているが、急速昇温期間の終了時点の目標温度は、施術温度に応じて変更される。この場合においても、昇温速度は、１５℃／秒〜２０℃／秒の範囲で設定される。そして、急速昇温期間の長さは、昇温速度と、急速昇温期間の前後の温度差とに応じて設定される。
【００４８】
このように、本実施形態では、急速に目標温度を高くする急速昇温期間の前に、目標温度を緩やかに上昇させる暖機期間を設けている。この暖機期間を設けることにより、プレート３０，４０内部の温度勾配が急激に変化することが抑制され、プレート３０，４０の損傷が抑制される。また、暖機期間を設けることにより、急速昇温期間の昇温速度をより速くすることが可能となる。そのため、ヘアーアイロン１を作動状態としてから施術が可能となるまでの時間を短くすることができる。さらに、急速昇温を可能としているため、水分量が多い毛髪に施術することでプレート３０，４０の温度が低下した場合においても、プレート３０，４０の温度をより速やかに施術温度に戻し、プレート３０，４０の温度を安定させることができるので、より適切な状態で髪型を形成することができる。
【００４９】
なお、図５に示す昇温条件では、暖機期間および急速昇温期間のそれぞれにおいて、昇温速度を一定にし、経過時間に対して目標温度を直線的に変化させているが、各期間の昇温速度は、当該期間を通じで必ずしも一定である必要はない。但し、この場合においても、各期間の昇温速度は、上述の範囲に設定される。
【００５０】
＜実施例＞
本発明における毛髪の傷みを抑制する効果を確認するため、実施例として、本発明を適用したヘアーアイロンを用いて、水分量の多い毛髪に施術を行った。具体的には、上記実施形態において示した形状のプレートを用いたヘアーアイロンを準備した。そして、多量の水分を含ませた毛髪に施術を行った。なお、施術温度、すなわち、プレートの温度は、１３５℃とした。また、比較例として、施術面が平板状で溝が形成されていないプレートを用いたヘアーアイロンを準備し、実施例と同様の条件で施術を行った。
【００５１】
実施例では、施術中、水蒸気爆発はほとんど発生せず、水蒸気はプレートに形成された溝を介して外部に放出され、毛髪を乾燥させることができた。また、毛髪を乾燥させるとともに、髪型を適宜形成することが可能であった。さらに、施術後の毛髪を観察したところ、毛髪の傷みはほとんど見られなかった。一方、比較例では、毛髪を挟み込んだプレートの間で水蒸気爆発が発生し、毛髪に傷みが生じた。これらの結果から、本発明によれば、毛髪の傷みを抑制しつつ、水分量の多い毛髪から水分を除去するとともに、髪型を形成することが可能であることが確認できた。
【００５２】
＜変形例＞
なお、本発明は上記実施形態に限られるものではなく、その要旨を逸脱しない範囲において種々の態様において実施することが可能であり、例えば次のような変形も可能である。
【００５３】
＜変形例１＞
上記実施形態では、上側アーム１０の基端を下側アーム２０の基端からやや先端寄りの位置に取り付けているが、一般的に、２つのアームが先端側で開閉可能であれば、２つのアームの取り付け方法は種々変更可能である。例えば、２つのアームを、それぞれの基端において取り付けるものとしてもよい。このように、２つのアームは、上記実施形態のように非対称性が強い形態とすることもでき、ほぼ対称な形態とすることもできる。また、このことから分かるように、本実施形態における上側と下側との区別はあくまで便宜上のものである。
【００５４】
＜変形例２＞
上記実施形態では、先端部を閉じた状態で、２つのアーム１０，２０の先端部が全体としてほぼ円柱状となるようにしているが、必ずしも、２つのアーム１０，２０の先端部を全体としてほぼ円柱状にする必要はない。但し、カールやウェーブをかけた髪型をより容易に形成できる点で、２つのアーム１０，２０の先端部が全体としてほぼ円柱状となるようにするのが好ましい。
【００５５】
＜変形例３＞
上記実施形態では、施術面３１が凹形状に形成されたプレート３０と、施術面４１の包絡形状を凸形状とし、施術面４１に溝４８，４９を形成したプレート４０とを有するヘアーアイロン１において、加熱初期の暖機期間の昇温速度を遅くし、暖機期間の経過後の急速昇温期間の昇温速度を速くしているが、このプレートに関する発明と、昇温条件に関する発明とは、必ずしも単一のヘアーアイロンにおいて同時に実現する必要はない。
【００５６】
例えば、２つのプレートの施術面がいずれも平坦なヘアーアイロンや、施術面に溝を形成していないヘアーアイロンにおいて、加熱初期の暖機期間の昇温速度を遅くし、暖機期間の経過後の急速昇温期間の昇温速度を速くするものとしてもよい。この場合においても、暖機期間を設けることにより、施術面の裏側の平坦面と伸長部との境界における割れなどが抑制される。そして、急速昇温を可能とすることにより、施術が可能となるまでの時間を短縮し、あるいは、プレートの温度を安定させてより適切な状態で髪型を形成することが可能となる。
【００５７】
また、施術面３１が凹形状に形成されたプレート３０と、施術面４１の包絡形状を凸形状とし、施術面４１に溝４８，４９を形成したプレート４０とを有するヘアーアイロン１において、一般的な方法で加熱を行うものとしても良い。この場合、プレート３０，４０の損傷を抑制するため、昇温速度は、本発明における急速昇温期間の昇温速度よりも遅く設定される。
【産業上の利用可能性】
【００５８】
本発明のヘアーアイロンは、上述の通り優れた効果を奏するものであるから、ストレートから、カールあるいはウェーブまでに至る種々の髪型の形成に好適に用いることができる。また、本発明のヘアーアイロンによれば、毛髪の傷みを抑制しつつ、水分量の多い毛髪から水分を除去することができるので、毛髪の乾燥にも好適に用いることができる。
【符号の説明】
【００５９】
１…ヘアーアイロン
２…電源スイッチ
３…ヒンジ
４…電源コード
１０，２０…アーム
１１，２１…ハウジング
１２，２２…ヒーター
１３，２３…温度センサー
３０，４０…プレート
３１，４１…施術面
３２，４２…周縁部
３３，４３，４４…平坦面
３５，４５…伸長部
３５ａ，４５ａ…プレート組付爪
３５ｂ，４５ｂ…ヒーター取付爪
４８，４９…溝
５０…制御部
５１…温度調整部
５２…通電制御部
ＨＲ…毛髪
【図１】
2018192072.tif 000003
【図２】
2018192072.tif 000004
【図３】
2018192072.tif 000005
【図４】
2018192072.tif 000006
【図５】
2018192072.tif 000007